(57)【要約】【課題】ユーザがより少ない簡単な操作にて、画像表示装置による画像の表示の仕方を変えることができる。【解決手段】  制御部は、情報取得部で取得した情報を、指示受取部を介して指示された第１のタイミングで確定した後、情報取得部で取得した情報を、指示受取部を介して指示された第２のタイミングで確定すると共に、第１のタイミングで確定した情報と、第２のタイミングで確定した情報と、を比較して、その比較結果に基づいて、画像表示装置による画像の表示を制御する。【選択図】図１
2009284390.tif 000002
【特許請求の範囲】
【請求項１】
１台以上の画像表示装置を制御する画像表示制御装置であって、
撮像して得られた撮像画像から情報を取得する情報取得部と、
外部からの指示を受け取る指示受取部と、
前記画像表示装置を制御する制御部と、
を備え、
前記制御部は、前記情報取得部で取得した情報を、前記指示受取部を介して指示された第１のタイミングで確定した後、前記情報取得部で取得した情報を、前記指示受取部を介して指示された第２のタイミングで確定すると共に、前記第１のタイミングで確定した情報と、前記第２のタイミングで確定した情報と、を比較して、その比較結果に基づいて、前記画像表示装置による画像の表示を制御することを特徴とする画像表示制御装置。
【請求項２】
請求項１に記載の画像表示制御装置において、
前記画像表示装置は、少なくとも、第１の種類の画像と第２の種類の画像とを表示することが可能であると共に、
前記画像表示装置が前記第１の種類の画像を表示している場合において、前記制御部は、前記情報を比較した結果、前記第１のタイミングで確定した情報が、前記第１の種類の画像に含まれる情報であり、前記第２のタイミングで確定した情報も、前記第１の種類の画像に含まれる情報である場合に、前記画像表示装置を制御して、前記第１の種類の画像の表示を停止させ、前記第２の種類の画像の表示を開始させることを特徴とする画像表示制御装置。
【請求項３】
請求項１に記載の画像表示制御装置において、
前記画像表示装置は、少なくとも、第１の種類の画像と第２の種類の画像とを表示することが可能であると共に、
前記画像表示装置が前記第１の種類の画像を表示している場合において、前記制御部は、前記情報を比較した結果、前記第１のタイミングで確定した情報が、不定の情報であり、前記第２のタイミングで確定した情報が、前記第１の種類の画像に含まれる情報である場合に、前記画像表示装置を制御して、前記第１の種類の画像の表示を停止させ、前記第２の種類の画像の表示を開始させることを特徴とする画像表示制御装置。
【請求項４】
請求項１に記載の画像表示制御装置において、
前記画像表示装置は、少なくとも、第１の種類の画像と第２の種類の画像とを表示することが可能であると共に、
前記画像表示装置が前記第２の種類の画像を表示している場合において、前記制御部は、前記情報を比較した結果、前記第１のタイミングで確定した情報が、前記第２の種類の画像に含まれる情報であり、前記第２のタイミングで確定した情報が、不定の情報である場合に、前記画像表示装置を制御して、前記第２の種類の画像の表示を停止させ、前記第１の種類の画像の表示を開始させることを特徴とする画像表示制御装置。
【請求項５】
請求項１に記載の画像表示制御装置において、
前記画像表示制御装置は、少なくとも、第１及び第２の画像表示装置を制御し、
前記第１及び第２の画像表示装置は、それぞれ、少なくとも、第１の種類の画像と第２の種類の画像とを表示することが可能であると共に、
前記第１の画像表示装置が前記第２の種類の画像を表示し、前記第２の画像表示装置が前記第１の種類の画像を表示している場合において、前記制御部は、前記情報を比較した結果、前記第１のタイミングで確定した情報が、前記第１の画像表示装置によって表示された前記第２の種類の画像に含まれる情報であり、前記第２のタイミングで確定した情報が、前記第２の画像表示装置によって表示された前記第１の種類の画像に含まれる情報である場合に、前記第１の画像表示装置を制御して、前記第１の画像表示装置における前記第２の種類の画像の表示を停止させ、前記第１の種類の画像の表示を開始させると共に、前記第２の画像表示装置を制御して、前記第２の画像表示装置における前記第１の種類の画像の表示を停止させ、前記第２の種類の画像の表示を開始させることを特徴とする画像表示制御装置。
【請求項６】
請求項１に記載の画像表示制御装置において、
前記画像表示制御装置は、少なくとも、第１及び第２の画像表示装置を制御し、
前記第１及び第２の画像表示装置は、それぞれ、少なくとも、第１の種類の画像と第２の種類の画像とを表示することが可能であると共に、
前記第１の画像表示装置が前記第２の種類の画像を表示し、前記第２の画像表示装置が前記第１の種類の画像を表示している場合において、前記制御部は、前記第１のタイミングで確定した情報が、前記第１の画像表示装置によって表示された前記第２の種類の画像に含まれる情報であり、前記第２のタイミングで確定した情報が、前記第２の画像表示装置によって表示された前記第１の種類の画像に含まれる情報である場合に、前記第２の画像表示装置を制御して、前記第２の画像表示装置における前記第１の種類の画像の表示を停止させ、前記第２の種類の画像の表示を開始させることを特徴とする画像表示制御装置。
【請求項７】
請求項２ないし請求項６のうちの任意の１つに記載の画像表示制御装置において、
前記第１及び第２の種類の画像に含まれる情報は、それぞれ、前記第１及び第２の種類の画像に重畳されたコード化された情報であることを特徴とする画像表示制御装置。
【請求項８】
請求項１ないし請求項７のうちの任意の１つに記載の画像表示制御装置において、
撮像部と、操作部と、を有するリモートコントローラをさらに備え、
前記撮像画像は、前記撮像部によって撮像されると共に、
外部からの前記指示は、前記操作部に対する操作によって為されることを特徴とする画像表示制御装置。
【請求項９】
１台以上の画像表示装置を制御する画像表示制御方法であって、
（ａ）撮像して得られた撮像画像から情報を取得する工程と、
（ｂ）取得した前記情報を、ユーザから指示された第１のタイミングで確定する工程と、
（ｃ）取得した前記情報を、前記第１のタイミングよりも後に、前記ユーザから指示された第２のタイミングで確定する工程と、
（ｄ）前記第１のタイミングで確定した情報と、前記第２のタイミングで確定した情報と、を比較する工程と、
（ｅ）前記工程（ｄ）における比較結果に基づいて、前記画像表示装置による画像の表示を制御する工程と、
を備える画像表示制御方法。
【請求項１０】
コンピュータによって１台以上の画像表示装置を制御するためのコンピュータプログラムであって、
撮像して得られた撮像画像から情報を取得する機能と、
取得した前記情報を、外部から指示された第１のタイミングで確定する機能と、
取得した前記情報を、前記第１のタイミングよりも後に、外部から指示された第２のタイミングで確定する機能と、
前記第１のタイミングで確定した情報と、前記第２のタイミングで確定した情報と、を比較する機能と、
その比較結果に基づいて、前記画像表示装置による画像の表示を制御する機能と、
を、前記コンピュータによって実現させるためのコンピュータプログラム。
【発明の詳細な説明】
【技術分野】
【０００１】
本発明は、１台以上の画像表示装置を制御するための技術に関するものである。
【背景技術】
【０００２】
従来、複数台のプロジェクタを使用して、パーソナルコンピュータから得られた画像を投射表示する場合に、例えば、パーソナルコンピュータとプロジェクタＡとの間で無線ＬＡＮ等によるネットワーク接続を確立して、パーソナルコンピュータからの画像をプロジェクタＡで投射表示させ、その後、パーソナルコンピュータとプロジェクタＡとの間のネットワーク接続を切断して、プロジェクタＡによる投射表示を停止させると共に、パーソナルコンピュータとプロジェクタＢとの間のネットワーク接続を確立して、パーソナルコンピュータからの画像をプロジェクタＢで投射表示させるようにして、投射画像の移し換えを行うようにしていた。
【０００３】
また、従来では、携帯電話等とプロジェクタとの間で、無線ＬＡＮ等によるネットワーク接続の確立を行う場合に、その接続情報を２次元コードに変換し、その２次元コードをそのプロジェクタによって投射表示し、携帯電話のカメラで、その２次元コードを撮像して、その撮像画像から接続情報を取得するようにしていた。この種の従来技術については、例えば、下記の特許文献に記載のものが知られている。
【０００４】
【特許文献１】特開２００７−３１２１７９号公報
【特許文献２】特開２００８−１５４０２号公報
【特許文献３】特開２００８−７７３８０号公報
【発明の開示】
【発明が解決しようとする課題】
【０００５】
しかしながら、従来においては、上記した投射画像の移し換えを行う場合、ネットワーク接続の切断、新たな投射先であるプロジェクタの選択、そのプロジェクタとのネットワーク接続の確立など、複数の操作をユーザが行わなければならず、非常に煩雑であった。
【０００６】
なお、この種の問題は、プロジェクタに限らず、テレビジョンやディスプレイなど他の画像表示装置を用いた場合でも、同様に発生し得る問題である。
【０００７】
従って、本発明の目的は、上記した従来技術の問題点を解決し、ユーザがより少ない簡単な操作にて、画像の移し換えなど、画像表示装置による画像の表示の仕方を変えることができる技術を提供することにある。
【課題を解決するための手段】
【０００８】
本発明は、上述の課題の少なくとも一部を解決するためになされたものであり、以下の形態又は適用例として実現することが可能である。
【０００９】
［適用例１］
１台以上の画像表示装置を制御する画像表示制御装置であって、撮像して得られた撮像画像から情報を取得する情報取得部と、外部からの指示を受け取る指示受取部と、前記画像表示装置を制御する制御部と、を備え、前記制御部は、前記情報取得部で取得した情報を、前記指示受取部を介して指示された第１のタイミングで確定した後、前記情報取得部で取得した情報を、前記指示受取部を介して指示された第２のタイミングで確定すると共に、前記第１のタイミングで確定した情報と、前記第２のタイミングで確定した情報と、を比較して、その比較結果に基づいて、前記画像表示装置による画像の表示を制御することを特徴とする画像表示制御装置。
【００１０】
このように、適用例１では、撮像画像から取得した情報を、外部から指示された第１のタイミングで確定した後、さらに、撮像画像から取得した情報を、外部から指示された第２のタイミングで確定し、第１のタイミングで確定した情報と、第２のタイミングで確定した情報と、を比較して、その比較結果に基づいて、画像表示装置による画像の表示を制御するようにしている。
【００１１】
従って、適用例１によれば、ユーザは、画像を撮像しつつ、２回指示を出すだけで、画像表示装置による画像の表示を制御することが可能となる。よって、ユーザは、より少ない簡単な操作にて、画像表示装置による画像の表示の仕方を変えることができる。
【００１２】
［適用例２］
適用例１に記載の画像表示制御装置において、前記画像表示装置は、少なくとも、第１の種類の画像と第２の種類の画像とを表示することが可能であると共に、前記画像表示装置が前記第１の種類の画像を表示している場合において、前記制御部は、前記情報を比較した結果、前記第１のタイミングで確定した情報が、前記第１の種類の画像に含まれる情報であり、前記第２のタイミングで確定した情報も、前記第１の種類の画像に含まれる情報である場合に、前記画像表示装置を制御して、前記第１の種類の画像の表示を停止させ、前記第２の種類の画像の表示を開始させることを特徴とする画像表示制御装置。
【００１３】
例えば、ユーザが、画像表示装置の表示している第１の種類の画像を撮像しつつ、１回目の指示を出し、続けて、２回目の指示を出した場合、第１のタイミングで確定する情報も、第２のタイミングで確定する情報も、第１の種類の画像に含まれる情報となる。従って、適用例２では、ユーザによる、このような、少ない簡単な操作によって、第１の種類の画像の表示を停止させ、第２の種類の画像の表示を開始させるように、画像表示装置による表示の仕方を変えることができる。
【００１４】
［適用例３］
適用例１に記載の画像表示制御装置において、前記画像表示装置は、少なくとも、第１の種類の画像と第２の種類の画像とを表示することが可能であると共に、前記画像表示装置が前記第１の種類の画像を表示している場合において、前記制御部は、前記情報を比較した結果、前記第１のタイミングで確定した情報が、不定の情報であり、前記第２のタイミングで確定した情報が、前記第１の種類の画像に含まれる情報である場合に、前記画像表示装置を制御して、前記第１の種類の画像の表示を停止させ、前記第２の種類の画像の表示を開始させることを特徴とする画像表示制御装置。
【００１５】
例えば、ユーザが、画像の表示されていない所を撮像しつつ、１回目の指示を出し、その後、画像表示装置の表示している第１の種類の画像を撮像しつつ、２回目の指示を出した場合、第１のタイミングで確定する情報は、不定の情報となり、第２のタイミングで確定する情報は、第１の種類の画像に含まれる情報となる。従って、適用例３では、ユーザによる、このような、少ない簡単な操作によって、第１の種類の画像の表示を停止させ、第２の種類の画像の表示を開始させるように、画像表示装置による表示の仕方を変えることができる。
【００１６】
［適用例４］
適用例１に記載の画像表示制御装置において、前記画像表示装置は、少なくとも、第１の種類の画像と第２の種類の画像とを表示することが可能であると共に、前記画像表示装置が前記第２の種類の画像を表示している場合において、前記制御部は、前記情報を比較した結果、前記第１のタイミングで確定した情報が、前記第２の種類の画像に含まれる情報であり、前記第２のタイミングで確定した情報が、不定の情報である場合に、前記画像表示装置を制御して、前記第２の種類の画像の表示を停止させ、前記第１の種類の画像の表示を開始させることを特徴とする画像表示制御装置。
【００１７】
例えば、ユーザが、画像表示装置の表示している第２の種類の画像を撮像しつつ、１回目の指示を出し、その後、画像の表示されていない所を撮像しつつ、２回目の指示を出した場合、第１のタイミングで確定する情報は、第１の種類の画像に含まれる情報となり、第２のタイミングで確定する情報は、不定の情報となる。従って、適用例４では、ユーザによる、このような、少ない簡単な操作によって、第２の種類の画像の表示を停止させ、第１の種類の画像の表示を開始させるように、画像表示装置による表示の仕方を変えることができる。
【００１８】
［適用例５］
適用例１に記載の画像表示制御装置において、前記画像表示制御装置は、少なくとも、第１及び第２の画像表示装置を制御し、前記第１及び第２の画像表示装置は、それぞれ、少なくとも、第１の種類の画像と第２の種類の画像とを表示することが可能であると共に、前記第１の画像表示装置が前記第２の種類の画像を表示し、前記第２の画像表示装置が前記第１の種類の画像を表示している場合において、前記制御部は、前記情報を比較した結果、前記第１のタイミングで確定した情報が、前記第１の画像表示装置によって表示された前記第２の種類の画像に含まれる情報であり、前記第２のタイミングで確定した情報が、前記第２の画像表示装置によって表示された前記第１の種類の画像に含まれる情報である場合に、前記第１の画像表示装置を制御して、前記第１の画像表示装置における前記第２の種類の画像の表示を停止させ、前記第１の種類の画像の表示を開始させると共に、前記第２の画像表示装置を制御して、前記第２の画像表示装置における前記第１の種類の画像の表示を停止させ、前記第２の種類の画像の表示を開始させることを特徴とする画像表示制御装置。
【００１９】
例えば、ユーザが、第１の画像表示装置の表示している第２の種類の画像を撮像して、１回目の指示を出し、その後、第２の画像表示装置の表示している第１の種類の画像を撮像して、２回目の指示を出した場合、第１のタイミングで確定する情報は、第１の画像表示装置によって表示された第２の種類の画像に含まれる情報となるのに対し、第２のタイミングで確定する情報は、第２の画像表示装置によって表示された第１の種類の画像に含まれる情報となる。従って、適用例３では、ユーザによる、このような、少ない簡単な操作によって、第１の画像表示装置については、第２の種類の画像の表示を停止させ、第１の種類の画像の表示を開始させるように、表示の仕方を変えることができ、第２の画像表示装置については、第１の種類の画像の表示を停止させ、第２の種類の画像の表示を開始させるように、表示の仕方を変えることができるため、第１の画像表示装置と第２の画像表示装置との間で表示画像の移し換えを実現することができる。
【００２０】
［適用例６］
適用例１に記載の画像表示制御装置において、前記画像表示制御装置は、少なくとも、第１及び第２の画像表示装置を制御し、前記第１及び第２の画像表示装置は、それぞれ、少なくとも、第１の種類の画像と第２の種類の画像とを表示することが可能であると共に、前記第１の画像表示装置が前記第２の種類の画像を表示し、前記第２の画像表示装置が前記第１の種類の画像を表示している場合において、前記制御部は、前記第１のタイミングで確定した情報が、前記第１の画像表示装置によって表示された前記第２の種類の画像に含まれる情報であり、前記第２のタイミングで確定した情報が、前記第２の画像表示装置によって表示された前記第１の種類の画像に含まれる情報である場合に、前記第２の画像表示装置を制御して、前記第２の画像表示装置における前記第１の種類の画像の表示を停止させ、前記第２の種類の画像の表示を開始させることを特徴とする画像表示制御装置。
【００２１】
例えば、ユーザが、第１の画像表示装置の表示している第２の種類の画像を撮像して、１回目の指示を出し、その後、第２の画像表示装置の表示している第１の種類の画像を撮像して、２回目の指示を出した場合、第１のタイミングで確定する情報は、第１の画像表示装置によって表示された第２の種類の画像に含まれる情報となるのに対し、第２のタイミングで確定する情報は、第２の画像表示装置によって表示された第１の種類の画像に含まれる情報となる。従って、適用例４では、ユーザによる、このような、少ない簡単な操作によって、第２の画像表示装置については、第１の種類の画像の表示を停止させ、第２の種類の画像の表示を開始させるように、表示の仕方を変えることができる。よって、第１の画像表示装置が第２の種類の画像を表示し続けているとすると、あたかも、第２の種類の画像の表示が、第２の画像表示装置にも複写されたように見せることができる。
【００２２】
［適用例７］
適用例２ないし適用例６のうちの任意の１つに記載の画像表示制御装置において、前記第１及び第２の種類の画像に含まれる情報は、それぞれ、前記第１及び第２の種類の画像に重畳されたコード化された情報であることを特徴とする画像表示制御装置。
このようにコード化された情報を用いることによって、表示画像に所望の情報を容易に含ませることが可能となる。
【００２３】
［適用例８］
適用例１ないし適用例７のうちの任意の１つに記載の画像表示制御装置において、撮像部と、操作部と、を有するリモートコントローラをさらに備え、前記撮像画像は、前記撮像部によって撮像されると共に、外部からの前記指示は、前記操作部に対する操作によって為されることを特徴とする画像表示制御装置。
【００２４】
このようなリモートコントローラをユーザが使用することによって、ユーザは、自由に、画像表示装置の表示している画像を撮像したり、画像表示制御装置に指示を出したりことができる。
【００２５】
［適用例９］
１台以上の画像表示装置を制御する画像表示制御方法であって、
（ａ）撮像して得られた撮像画像から情報を取得する工程と、
（ｂ）取得した前記情報を、ユーザから指示された第１のタイミングで確定する工程と、
（ｃ）取得した前記情報を、前記第１のタイミングよりも後に、前記ユーザから指示された第２のタイミングで確定する工程と、
（ｄ）前記第１のタイミングで確定した情報と、前記第２のタイミングで確定した情報と、を比較する工程と、
（ｅ）前記工程（ｄ）における比較結果に基づいて、前記画像表示装置による画像の表示を制御する工程と、
を備える画像表示制御方法。
このように、適用例９の画像表示制御方法によれば、適用例１と同様の効果を奏することができる。
【００２６】
［適用例１０］
コンピュータによって１台以上の画像表示装置を制御するためのコンピュータプログラムであって、撮像して得られた撮像画像から情報を取得する機能と、取得した前記情報を、外部から指示された第１のタイミングで確定する機能と、取得した前記情報を、前記第１のタイミングよりも後に、外部から指示された第２のタイミングで確定する機能と、前記第１のタイミングで確定した情報と、前記第２のタイミングで確定した情報と、を比較する機能と、その比較結果に基づいて、前記画像表示装置による画像の表示を制御する機能と、を、前記コンピュータによって実現させるためのコンピュータプログラム。
このように、適用例１０のコンピュータプログラムによれば、適用例１と同様の効果を奏することができる。
【００２７】
なお、本発明は、上記した画像表示制御装置などの装置発明の態様や、画像表示制御方法などの方法発明としての態様や、それら方法や装置を構築するためのコンピュータプログラムとしての態様に限ることなく、そのようなコンピュータプログラムを記録した記録媒体としての態様など、種々の態様で実現することも可能である。
【発明を実施するための最良の形態】
【００２８】
以下、本発明の実施の形態を実施例に基づいて以下の順序で説明する。
Ａ．第１の実施例：
Ａ−１．実施例の構成：
Ａ−２．実施例の動作：
Ａ−２−１．初期動作：
Ａ−２−２．コンテンツ画像への切り換え動作：
Ａ−２−３．待ち受け画像への切り換え動作：
Ａ−２−４．コンテンツ画像の移し換え動作：
Ａ−３．実施例の効果：
Ｂ．第２の実施例：
Ｂ−１．実施例の動作：
Ｂ−１−１．コンテンツ画像への切り換え動作：
Ｂ−１−２．待ち受け画像への切り換え動作：
Ｂ−２．実施例の効果：
Ｃ．第３の実施例：
Ｃ−１．実施例の動作：
Ｃ−１−１．コンテンツ画像の移し換え動作：
Ｃ−２．実施例の効果：
Ｄ．第４の実施例：
Ｄ−１．実施例の構成：
Ｄ−２．実施例の動作：
Ｄ−３．実施例の効果：
Ｅ．第５の実施例：
Ｅ−１．実施例の動作：
Ｅ−２．実施例の効果：
Ｆ．第６の実施例：
Ｆ−１．実施例の動作：
Ｆ−２．実施例の効果：
Ｆ−３．実施例における変形例：
Ｇ．変形例：
【００２９】
Ａ．第１の実施例：
Ａ−１．実施例の構成：
図１は本発明の第１の実施例としての画像表示制御装置を含む画像表示システムを示すブロック図である。
【００３０】
図１に示す画像表示システムは、画像表示制御装置であるパーソナルコンピュータ（以下、単にＰＣと略す）１００と、画像表示装置である３台のプロジェクタＡ〜Ｃと、で構成されている。
【００３１】
このうち、ＰＣ１００は、図１に示すように、プログラムを実行することにより種々の処理や制御を行うＣＰＵ１１０と、プログラムを格納したり、データや情報を格納したりするためのメモリ１２０と、無線ＬＡＮを介してプロジェクタＡ〜Ｃとの間で各種データや情報などの伝送を行うネットワークインタフェース部１３０と、リモートコントローラ（以下、単にリモコンと略す）１５０との間で各種データや情報などの伝送を行うリモコンインタフェース部１４０と、を備えており、それらはバス等を介して接続されている。また、ＰＣ１００の外部には、リモコン１５０が存在し、ケーブルを介して、リモコンインタフェース部１４０に接続されている。リモコン１５０は、画像を撮像するためのカメラ１５２を内蔵しており、外面には、外部からの指示をＰＣ１００に伝えるための操作ボタン１５４が設けられている。また、メモリ１２０は、取得情報格納部１２２，確定第１情報格納部１２４，確定第２情報格納部１２６，及びコンテンツ格納部１２８として機能する。また、ＰＣ１００は、上記構成要素以外にも、キーボードやポインティングデバイスなどの入力部やモニタなどの表示部やスピーカなどの音声出力部などを備えているが、図では省略されている。
【００３２】
一方、３台のプロジェクタＡ〜Ｃは、図１に示すように、並列に配置されており、各スクリーンＳＡ〜ＳＣに対して、それぞれ、画像を投射表示することが可能となっている。なお、各プロジェクタＡ〜Ｃの構成は、互いに同じであり、図２に示すような構成を成している。図２は図１におけるプロジェクタの構成を示すブロック図である。図２では、プロジェクタＡ〜Ｃを、プロジェクタ２００として示している。
【００３３】
図２に示すように、プロジェクタ２００は、プログラムを実行することにより種々の処理や制御を行うＣＰＵ２１０と、プログラムを格納したり、データや情報を格納したりするためのメモリ２２０と、無線ＬＡＮを介してＰＣ１００との間で各種データや情報などの伝送を行うネットワークインタフェース部２３０と、画像処理回路２４２と、画像重畳回路２４４と、画像切換回路２４６と、液晶パネル駆動回路２４８と、を備えており、それらはバス等を介して接続されている。また、その他、照明光学系２５０と、液晶パネル２６０と、投射光学系２７０と、を備えている。また、メモリ２２０は、コンテンツ用２次元コード格納部２２２及び待ち受け画像格納部２２４として機能する。
【００３４】
本実施例において、ＣＰＵ１１０は、請求項における画像表示制御装置に、プロジェクタ２００は、請求項における画像表示装置に、リモコンインタフェース部１４０が、請求項における情報取得部，指示受取部に、ＣＰＵ１１０が、請求項における制御部に、リモコン１５０が、請求項におけるリモートコントローラに、カメラ１５２が、請求項における撮像部に、操作ボタン１５４が請求項における操作部に、それぞ相当する。
【００３５】
Ａ−２．実施例の動作：
Ａ−２−１．初期動作：
各プロジェクタＡ〜Ｃでは、電源を投入すると、ＣＰＵ２１０が、メモリ２２０に格納されたファームウェア（図示せず）を実行し、それに従い、他の各構成要素を制御する。まず、待ち受け画像格納部２２４から、待ち受け画像データが読み出され、画像切換回路２４６を介して、液晶パネル駆動回路２４８に入力される。液晶パネル駆動回路２４８は、入力された待ち受け画像データに基づいて、液晶パネル２６０に待ち受け画像を表示する。液晶パネル２６０は、照明光学系２５０でほぼ均一に照明されており、液晶パネル２６０に表示された待ち受け画像は、投射光学系２７０によってスクリーンＳ上に投射表示される。
こうして、各プロジェクタＡ〜Ｃは、電源投入後の初期状態では、各スクリーンＳＡ〜ＳＣに、それぞれ、待ち受け画像を投射表示する。
【００３６】
図３は図１の各プロジェクタＡ〜Ｃによって投射表示された画像の一例を示す説明図である。上記した初期状態で、各プロジェクタＡ〜Ｃによって投射表示される待ち受け画像は、例えば、図３（ａ１），（ｂ１），（ｃ１）に示す如くである。各待ち受け画像には、各プロジェクタＡ〜Ｃに対応する待ち受け用２次元コードｍａ，ｍｂ，ｍｃが、それぞれ含まれている。すなわち、各プロジェクタＡ〜Ｃ毎に、予め、待ち受け画像格納部２２４に格納されている待ち受け画像データには、それぞれ、対応する待ち受け用２次元コードが挿入されている。また、各プロジェクタＡ〜Ｃに対応する待ち受け用２次元コードｍａ，ｍｂ，ｍｃは、それぞれ、待ち受け用であることを示す識別情報や、対応するプロジェクタの識別情報や、対応するプロジェクタとの間でネットワーク接続を確立するために必要な接続情報などを、統合的にコード化して、生成されたものである。なお、図３において、（ａ２），（ｂ２），（ｃ２）の各画像については、後ほど説明する。また、本実施例では、コード化された情報として、２次元コードを用いる場合について説明するが、コード化された情報としては、コンテンツの内容等が判別できれば、その他の情報、例えば、暗号化された情報であっても構わない。
【００３７】
一方、図１において、ＰＣ１００の電源を入れ、ＣＰＵ１１０によって、メモリ１２０に格納された専用のアプリケーションプログラム（図示せず）を起動すると、リモコン１５０等の利用が可能となる。それにより、リモコン１５０では、カメラ１５２が撮像を開始する。撮像された撮像画像データは、ケーブルを介して、ＰＣ１００内のリモコンインタフェース部１４０に取り込まれる。ＣＰＵ１１０は、取り込まれた撮像画像データに、２次元コードが含まれているかどうかをチェックする。
【００３８】
Ａ−２−２．コンテンツ画像への切り換え動作：
図４及び図５は第１の実施例における待ち受け画像からコンテンツ画像への切り換え動作を説明するための説明図である。
【００３９】
そこで、ユーザが、リモコン１５０を手で持ち、各プロジェクタＡ〜Ｃによってそれぞれ表示されている３つの待ち受け画像のうち、図４（ａ）に示すように、プロジェクタＡによる待ち受け画像の方に、リモコン１５０の先端を向けると、リモコン１５０に内蔵されたカメラ１５２は、プロジェクタＡによる待ち受け画像を撮像する。その待ち受け画像には、プロジェクタＡに対応する待ち受け用２次元コードｍａが含まれているため、上記チェックを行っているＣＰＵ１１０は、取り込まれた撮像画像データ内で、その待ち受け用２次元コードｍａを検出する。そして、ＣＰＵ１１０は、その待ち受け用２次元コードｍａを解析して、そのコードｍａの表す情報を取得し、取得情報格納部１２２に格納すると共に、音声出力部（図示せず）から、２次元コードの情報を取得したことを示す確認音を発生させる。
【００４０】
その確認音を聞いた後、ユーザが、図４（ａ）に示すように、プロジェクタＡによる待ち受け画像の方に、リモコン１５０の先端を向けたまま、リモコン１５０の操作ボタン１５４を押すと、その操作に基づき、リモコン１５０からは、ケーブルを介して、第１の指示信号が出力される。その第１の指示信号は、リモコンインタフェース部１４０を介して、ＣＰＵ１１０に伝えられる。ＣＰＵ１１０が、その第１の指示信号を受け取ると、そのタイミングで、取得情報格納部１２２に格納した取得情報を読み出し、確定第１情報格納部１２４に格納して、取得情報の確定を行う。このとき確定された取得情報、すなわち、確定第１情報格納部１２４に格納された取得情報を、確定第１情報とする。
【００４１】
その後、ユーザが、図４（ｂ）に示すように、プロジェクタＡによる待ち受け画像の方に、リモコン１５０の先端を向けたまま、押していた操作ボタン１５４を放すと、その操作に基づき、リモコン１５０からは、ケーブルを介して、第２の指示信号が出力される。その第２の指示信号も、リモコンインタフェース部１４０を介して、ＣＰＵ１１０に伝えられる。ＣＰＵ１１０が、その第２の指示信号を受け取ると、前回と同様に、そのタイミングで、取得情報格納部１２２に格納した取得情報を読み出し、今度は、確定第２情報格納部１２６に格納して、取得情報の確定を行う。このとき確定された取得情報、すなわち、確定第２情報格納部１２６に格納された取得情報を、確定第２情報とする。
【００４２】
そして、ＣＰＵ１１０は、確定第１情報格納部１２４に格納した確定第１情報と、確定第２情報格納部１２６に格納した確定第２情報と、をそれぞれ読み出し、両者を比較する。これらの情報は同じ情報であるので、ＣＰＵ１１０は、比較結果として、確定第１情報と確定第２情報とは互いに一致すると判定する。このような判定が出た場合、ＣＰＵ１１０は、確定第１情報または確定第２情報から識別情報を抽出して、その識別情報から、プロジェクタＡが待ち受け画像表示状態にあることを認識すると、そのプロジェクタＡとの間でネットワーク接続の確立を行うべく、確定第１情報または確定第２情報から、さらに、ネットワーク接続の確立に必要な接続情報を抽出する。そして、ＣＰＵ１１０は、ネットワークインタフェース部１３０を制御して、抽出した接続情報に基づき、無線ＬＡＮを介して、プロジェクタＡとの間でネットワーク接続の確立を実行する。その後、プロジェクタＡとの間でネットワーク接続が確立したら、コンテンツ格納部１２８に格納されているコンテンツデータに基づき、コンテンツ画像データを無線ＬＡＮを介してプロジェクタＡに伝送する。
【００４３】
一方、プロジェクタＡにおいて、図２に示すコンテンツ用２次元コード格納部２２２には、プロジェクタＡに対応するコンテンツ用２次元コードｎａが格納されている。プロジェクタＡに対応するコンテンツ用２次元コードｎａは、コンテンツ用であることを示す識別情報や、対応するプロジェクタＡの識別情報報などを、統合的にコード化して、生成されたものである。そこで、プロジェクタＡにおいて、ＣＰＵ２１０が、ネットワークインタフェース部２３０を介して、ＰＣ１００との間でネットワーク接続が確立されたことを検出すると、ＰＣ１００から伝送されたコンテンツ画像データを、ネットワークインタフェース部２３０を介して受信する。画像処理回路２４２は、その受信したコンテンツ画像データに所望の画像処理を施して、画像重畳回路２４４に出力する。画像重畳回路２４４は、コンテンツ用２次元コード格納部２２２から、コンテンツ用２次元コードｎａを読み出して、入力されたコンテンツ画像データに、そのコンテンツ用２次元コードｎａを挿入し、挿入後のコンテンツ画像データを出力する。
【００４４】
また、ＣＰＵ２１０は、ＰＣ１００との間でネットワーク接続が確立されたことを受けて、画像切換回路２４６を制御して、待ち受け画像格納部２２４から読み出された待ち受け画像データに代えて、画像重畳回路２４４から出力されるコンテンツ画像データを、液晶パネル駆動回路２４８に出力させる。液晶パネル駆動回路２４８は、入力されたコンテンツ画像データに基づいて、液晶パネル２６０にコンテンツ画像を表示する。この結果、プロジェクタＡは、図５または図３（ａ２）に示すように、スクリーンＳＡに、待ち受け画像に代えて、ＰＣ１００から伝送されたコンテンツ画像を投射表示する。そして、そのコンテンツ画像には、画像重畳回路２４４によって挿入されたコンテンツ用２次元コードｎａが含まれることになる。
【００４５】
以上のようにして、ユーザが、リモコン１５０の先端を、プロジェクタＡによる待ち受け画像に向けた状態で、リモコン１５０の操作ボタン１５４を押して、放す操作を行うだけで、待ち受け画像を投射表示していたプロジェクタＡに、待ち受け画像に代えて、ＰＣ１００からのコンテンツ画像を投射表示させるようすることができる。
【００４６】
なお、上記の説明では、プロジェクタＡを対象としたが、他のプロジェクタＢ，Ｃに関しても、同様の動作を実現することが可能である。その結果として、対応するスクリーンＳＢ，ＳＣには、それぞれ、待ち受け画像に代えて、図３（ｂ２），（ｃ２）に示すようなＰＣ１００から伝送されたコンテンツ画像が投射表示される。なお、それらコンテンツ画像には、プロジェクタＢ，Ｃに対応するコンテンツ用２次元コードｎｂ，ｃが、それぞれ含まれている。
【００４７】
Ａ−２−３．待ち受け画像への切り換え動作：
図６及び図７は第１の実施例におけるコンテンツ画像から待ち受け画像への切り換え動作を説明するための説明図である。
【００４８】
次に、ユーザが、リモコン１５０を手で持ち、図６（ａ）に示すように、プロジェクタＡによるコンテンツ画像の方に、リモコン１５０の先端を向けると、リモコン１５０に内蔵されたカメラ１５２は、プロジェクタＡによるコンテンツ画像を撮像する。そのコンテンツ画像には、上述したとおり、プロジェクタＡに対応するコンテンツ用２次元コードｎａが含まれているため、ＣＰＵ１１０は、取り込まれた撮像画像データ内で、そのコンテンツ用２次元コードｎａを検出する。そして、ＣＰＵ１１０は、そのコンテンツ用２次元コードｎａを解析して、そのコードｎａの表す情報を取得し、取得情報格納部１２２に格納すると共に、音声出力部（図示せず）から、２次元コードの情報を取得したことを示す確認音を発生させる。
【００４９】
その確認音を聞いた後、ユーザが、図６（ａ）に示すように、プロジェクタＡによるコンテンツ画像の方に、リモコン１５０の先端を向けたまま、リモコン１５０の操作ボタン１５４を押すと、その操作に基づき、リモコン１５０からは第１の指示信号が出力される。その第１の指示信号は、リモコンインタフェース部１４０を介して、ＣＰＵ１１０に伝えられる。ＣＰＵ１１０が、その第１の指示信号を受け取ると、そのタイミングで、取得情報格納部１２２に格納した取得情報を読み出し、確定第１情報格納部１２４に格納して、取得情報の確定を行い、確定第１情報とする。
【００５０】
その後、ユーザが、図６（ｂ）に示すように、プロジェクタＡによるコンテンツ画像の方に、リモコン１５０の先端を向けたまま、押していた操作ボタン１５４を放すと、その操作に基づき、リモコン１５０からは第２の指示信号が出力される。その第２の指示信号も、リモコンインタフェース部１４０を介して、ＣＰＵ１１０に伝えられる。ＣＰＵ１１０が、その第２の指示信号を受け取ると、そのタイミングで、取得情報格納部１２２に格納した取得情報を読み出し、確定第２情報格納部１２６に格納して、取得情報の確定を行い、確定第２情報とする。
【００５１】
そして、ＣＰＵ１１０は、確定第１情報格納部１２４に格納した確定第１情報と、確定第２情報格納部１２６に格納した確定第２情報と、をそれぞれ読み出し、両者を比較する。これらの情報は同じ情報であるので、ＣＰＵ１１０は、比較結果として、確定第１情報と確定第２情報とは互いに一致すると判定する。このような判定が出た場合、ＣＰＵ１１０は、確定第１情報または確定第２情報から識別情報を抽出して、その識別情報から、プロジェクタＡがコンテンツ画像表示状態にあることを認識すると、ネットワークインタフェース部１３０を制御して、そのプロジェクタＡとの間でのネットワーク接続を切断する。
【００５２】
一方、プロジェクタＡにおいて、ＣＰＵ２１０が、ネットワークインタフェース部２３０を介して、ＰＣ１００との間でのネットワーク接続が切断されたことを検出すると、画像切換回路２４６を制御して、画像重畳回路２４４からのデータに代えて、待ち受け画像格納部２２４から読み出される待ち受け画像データを、液晶パネル駆動回路２４８に出力する。液晶パネル駆動回路２４８は、入力された待ち受け画像データに基づいて、液晶パネル２６０に待ち受け画像を表示する。この結果、プロジェクタＡは、図７または図３（ａ１）に示すように、スクリーンＳＡに、ＰＣ１００からのコンテンツ画像に代えて、待ち受け画像を投射表示する。
【００５３】
以上のようにして、ユーザが、リモコン１５０の先端を、プロジェクタＡによるコンテンツ画像に向けた状態で、リモコン１５０の操作ボタン１５４を押して、放す操作を行うだけで、ＰＣ１００からのコンテンツ画像を投射表示していたプロジェクタＡに、そのコンテンツ画像に代えて、待ち受け画像を投射表示させるようすることができる。
なお、上記の説明では、プロジェクタＡを対象としたが、他のプロジェクタＢ，Ｃに関しても、同様の動作を実現することが可能である。
【００５４】
Ａ−２−４．コンテンツ画像の移し換え動作：
図８及び図９は第１の実施例におけるプロジェクタ間でのコンテンツ画像の移し換え動作を説明するための説明図である。
【００５５】
今、図８（ａ）に示すように、プロジェクタＡがコンテンツ画像を投射表示し、プロジェクタＢが待ち受け画像を投射表示しているものとする。そのような表示状態において、まず、ユーザが、リモコン１５０を手で持ち、プロジェクタＡによるコンテンツ画像の方に、リモコン１５０の先端を向けると、リモコン１５０に内蔵されたカメラ１５２は、プロジェクタＡによるコンテンツ画像を撮像する。そのコンテンツ画像には、プロジェクタＡに対応するコンテンツ用２次元コードｎａが含まれているため、ＣＰＵ１１０は、取り込まれた撮像画像データ内で、そのコンテンツ用２次元コードｎａを検出する。そして、ＣＰＵ１１０は、そのコンテンツ用２次元コードｎａを解析して、そのコードｎａの表す情報を取得し、取得情報格納部１２２に格納すると共に、音声出力部（図示せず）から、２次元コードの情報を取得したことを示す確認音を発生させる。
【００５６】
その確認音を聞いた後、ユーザが、図８（ａ）に示すように、プロジェクタＡによるコンテンツ画像の方に、リモコン１５０の先端を向けたまま、リモコン１５０の操作ボタン１５４を押すと、その操作に基づき、リモコン１５０からは第１の指示信号が出力される。その第１の指示信号は、リモコンインタフェース部１４０を介して、ＣＰＵ１１０に伝えられる。ＣＰＵ１１０が、その第１の指示信号を受け取ると、そのタイミングで、取得情報格納部１２２に格納した取得情報を読み出し、確定第１情報格納部１２４に格納して、取得情報の確定を行い、確定第１情報とする。
【００５７】
その後、ユーザが、リモコン１５０の操作ボタン１５４を押したままで、図８（ｂ）に示すように、リモコン１５０の向きを変え、プロジェクタＢによる待ち受け画像の方に、リモコン１５０の先端を向けると、リモコン１５０に内蔵されたカメラ１５２は、今度は、プロジェクタＢによる待ち受け画像を撮像する。その待ち受け画像には、プロジェクタＢに対応する待ち受け用２次元コードｍｂが含まれているため、ＣＰＵ１１０は、取り込まれた撮像画像データ内で、その待ち受け用２次元コードｍｂを検出する。そして、ＣＰＵ１１０は、その待ち受け用２次元コードｍｂを解析して、そのコードｍｂの表す情報を取得し、取得情報格納部１２２に格納すると共に、音声出力部（図示せず）から、２次元コードの情報を取得したことを示す確認音を発生させる。
【００５８】
その確認音を聞いた後、ユーザが、図８（ｂ）に示すように、プロジェクタＢによる待ち受け画像の方に、リモコン１５０の先端を向けたまま、リモコン１５０の操作ボタン１５４を放すと、その操作に基づき、リモコン１５０からは第２の指示信号が出力される。その第２の指示信号も、リモコンインタフェース部１４０を介して、ＣＰＵ１１０に伝えられる。ＣＰＵ１１０が、その第２の指示信号を受け取ると、そのタイミングで、取得情報格納部１２２に格納した取得情報を読み出し、確定第２情報格納部１２６に格納して、取得情報の確定を行い、確定第２情報とする。
【００５９】
そして、ＣＰＵ１１０は、確定第１情報格納部１２４に格納した確定第１情報と、確定第２情報格納部１２６に格納した確定第２情報と、をそれぞれ読み出し、両者を比較する。これらの情報は異なる情報であるので、ＣＰＵ１１０は、比較結果として、確定第１情報と確定第２情報とは互いに異なると判定する。このような判定が出た場合、ＣＰＵ１１０は、まず、確定第１情報から識別情報を抽出して、その識別情報から、プロジェクタＡがコンテンツ画像表示状態にあることを認識すると、ネットワークインタフェース部１３０を制御して、そのプロジェクタＡとの間でのネットワーク接続を切断する。次に、ＣＰＵ１１０は、確定第２情報から識別情報を抽出して、その識別情報から、プロジェクタＢが待ち受け画像表示状態にあることを認識すると、そのプロジェクタＢとの間でネットワーク接続の確立を行うべく、確定第２情報から、さらに、ネットワーク接続の確立に必要な接続情報を抽出する。そして、ＣＰＵ１１０は、ネットワークインタフェース部１３０を制御して、抽出した接続情報に基づき、無線ＬＡＮを介して、プロジェクタＢとの間でネットワーク接続の確立を実行する。その後、プロジェクタＢとの間でネットワーク接続が確立したら、コンテンツ格納部１２８に格納されているコンテンツデータに基づき、コンテンツ画像データを無線ＬＡＮを介してプロジェクタＢに伝送する。
【００６０】
一方、プロジェクタＡにおいて、ＣＰＵ２１０が、ネットワークインタフェース部２３０を介して、ＰＣ１００との間でのネットワーク接続が切断されたことを検出すると、画像切換回路２４６を制御して、画像重畳回路２４４からのデータに代えて、待ち受け画像格納部２２４から読み出される待ち受け画像データを、液晶パネル駆動回路２４８に出力する。液晶パネル駆動回路２４８は、入力された待ち受け画像データに基づいて、液晶パネル２６０に待ち受け画像を表示する。
【００６１】
他方、プロジェクタＢにおいては、ＣＰＵ２１０が、ネットワークインタフェース部２３０を介して、ＰＣ１００との間でネットワーク接続が確立されたことを検出すると、ＰＣ１００から伝送されたコンテンツ画像データを、ネットワークインタフェース部２３０を介して受信する。画像処理回路２４２は、その受信したコンテンツ画像データに所望の画像処理を施し、画像重畳回路２４４は、コンテンツ用２次元コード格納部２２２から、プロジェクタＢに対応するコンテンツ用２次元コードｎｂを読み出し、画像処理回路２４２からのコンテンツ画像データに、そのコンテンツ用２次元コードｎｂを挿入し、挿入後のコンテンツ画像データを出力する。そして、ＣＰＵ２１０は、ＰＣ１００との間でネットワーク接続が確立されたことを受けて、画像切換回路２４６を制御して、待ち受け画像格納部２２４から読み出された待ち受け画像データに代えて、画像重畳回路２４４から出力されるコンテンツ画像データを、液晶パネル駆動回路２４８に出力させる。液晶パネル駆動回路２４８は、入力されたコンテンツ画像データに基づいて、液晶パネル２６０にコンテンツ画像を表示する。
【００６２】
以上の結果、図９に示すように、プロジェクタＡは、スクリーンＳＡに、ＰＣ１００からのコンテンツ画像に代えて、待ち受け画像を投射表示するのに対し、プロジェクタＢは、スクリーンＳＢに、待ち受け画像に代えて、ＰＣ１００から伝送されたコンテンツ画像を投射表示する。
【００６３】
以上のようにして、ユーザが、リモコン１５０の先端を、まず、プロジェクタＡによるコンテンツ画像に向けた状態で、リモコン１５０の操作ボタン１５４を押し、その操作ボタン１５４を押したままの状態で、リモコン１５０の向きを変え、リモコン１５０の先端を、今度は、プロジェクタＢによる待ち受け画像に向けた状態で、操作ボタン１５４を放す操作を行うと、プロジェクタＡによってスクリーンＳＡに投射表示されていたＰＣ１００からのコンテンツ画像が、今度は、プロジェクタＢによってスクリーンＳＢに投射表示されることになり、あたかも、投射画像であるコンテンツ画像が、スクリーンＳＡからスクリーンＳＢに移動したように見せることができる。
【００６４】
なお、上記の説明では、プロジェクタＡからプロジェクタＢへの移し換えについて説明したが、逆向きのプロジェクタＢからプロジェクタＡへの移し換えについても、同じようにして実現することができる。また、プロジェクタＡ，Ｂ間だけでなく、プロジェクタＡ，Ｃ間や、プロジェクタＢ，Ｃ間においても、同様の動作を実現することが可能である。
【００６５】
Ａ−３．実施例の効果：
以上説明したとおり、本実施例によれば、ユーザは、リモコン１５０の先端を投射画像の方に向け、リモコン１５０の操作ボタン１５４を押して放すだけの、より少ない簡単な操作にて、画像の切り換えや、画像の移し換えなど、プロジェクタによる投射画像の表示の仕方を変えることができる。
【００６６】
Ｂ．第２の実施例：
上記した第１の実施例では、ユーザが、投射画像の方にリモコン１５０の先端を向けたままの状態で、リモコン１５０の操作ボタン１５４を押して放す操作を行うことにより、待ち受け画像への切り換えや、コンテンツ画像への切り換えを行うようにしていた。しかしながら、ユーザの後述するような操作で、待ち受け画像への切り換えや、コンテンツ画像への切り換えを行うようにしてもよい。
【００６７】
そのような実施例を第２の実施例として説明する。なお、本実施例の構成は、第１の実施例の場合と同様であるので、それらについての説明は省略する。なお、本実施例では、取得情報格納部１２２は、構成要素として、必ずしも必要でない。
【００６８】
Ｂ−１．実施例の動作：
Ｂ−１−１．コンテンツ画像への切り換え動作：
図１０は本発明の第２の実施例における待ち受け画像からコンテンツ画像への切り換え動作を説明するための説明図である。
【００６９】
ユーザが、リモコン１５０を手で持ち、図１０（ａ）に示すように、投射画像のない方に、リモコン１５０の先端を向けると、リモコン１５０に内蔵されたカメラ１５２は、その向けた方の背景を撮像する。撮像された撮像画像データは、ケーブルを介して、ＰＣ１００内のリモコンインタフェース部１４０に取り込まれる。そして、ユーザが、図１０（ａ）に示すように、投射画像のない方に、リモコン１５０の先端を向けたまま、リモコン１５０の操作ボタン１５４を押すと、その操作に基づき、リモコン１５０からは、ケーブルを介して、第１の指示信号が出力される。その第１の指示信号は、リモコンインタフェース部１４０を介して、ＣＰＵ１１０に伝えられる。ＣＰＵ１１０が、その第１の指示信号を受け取ると、そのタイミングで、取り込まれた撮像画像データに、２次元コードが含まれているかどうかをチェックする。このとき、撮像画像には何ら２次元コードが含まれていないため、ＣＰＵ１１０は、取り込まれた撮像画像データ内で、２次元コードも何も検出しない。従って、ＣＰＵ１１０は、確定第１情報格納部１２４に何ら情報を格納することなく、取得情報の確定を行う。よって、このとき、確定第１情報格納部１２４内の不定の情報が、確定第１情報となる。
【００７０】
その後、ユーザが、リモコン１５０の操作ボタン１５４を押したままで、図１０（ｂ）に示すように、リモコン１５０の向きを変え、プロジェクタＡによる待ち受け画像の方に、リモコン１５０の先端を向けると、リモコン１５０に内蔵されたカメラ１５２は、今度は、プロジェクタＡによる待ち受け画像を撮像し、撮像された撮像画像データはリモコンインタフェース部１４０に取り込まれる。そして、ユーザが、図１０（ｂ）に示すように、プロジェクタＡによる待ち受け画像の方に、リモコン１５０の先端を向けたまま、リモコン１５０の操作ボタン１５４を放すと、その操作に基づき、リモコン１５０からは第２の指示信号が出力される。その第２の指示信号も、リモコンインタフェース部１４０を介して、ＣＰＵ１１０に伝えられる。ＣＰＵ１１０が、その第２の指示信号を受け取ると、そのタイミングで、取り込まれた撮像画像データに、２次元コードが含まれているかどうかをチェックする。このとき、撮像画像には、プロジェクタＡに対応する待ち受け用２次元コードｍａが含まれているため、ＣＰＵ１１０は、取り込まれた撮像画像データ内で、その待ち受け用２次元コードｍａを検出する。そして、ＣＰＵ１１０は、その待ち受け用２次元コードｍａを解析して、そのコードｍａの表す情報を取得し、確定第２情報格納部１２６に格納して、取得情報の確定を行う。このとき確定された取得情報、すなわち、確定第２情報格納部１２６に格納された取得情報を、確定第２情報とする。
【００７１】
そして、ＣＰＵ１１０は、確定第１情報格納部１２４に格納した確定第１情報と、確定第２情報格納部１２６に格納した確定第２情報と、をそれぞれ読み出し、両者を比較する。これらの情報は異なる情報であるので、ＣＰＵ１１０は、比較結果として、確定第１情報と確定第２情報とは互いに異なると判定する。このような判定が出た場合、ＣＰＵ１１０は、確定第１情報が不定の情報であり、確定第２情報が不定の情報でない（取得情報が存在する）ことから、最初にリモコン１５０が向けられた方向に投射画像がなく、次にリモコン１５０が向けられた方向に投射画像があることを認識する。そして、ＣＰＵ１１０は、さらに、確定第２情報から識別情報を抽出して、その識別情報から、プロジェクタＡが待ち受け画像表示状態にあることを認識すると、そのプロジェクタＡとの間でネットワーク接続の確立を行うべく、確定第２情報から接続情報を抽出する。そして、ＣＰＵ１１０は、ネットワークインタフェース部１３０を制御して、抽出した接続情報に基づき、無線ＬＡＮを介して、プロジェクタＡとの間でネットワーク接続の確立を行う。その後、プロジェクタＡとの間でネットワーク接続が確立したら、コンテンツ格納部１２８に格納されているコンテンツデータに基づき、コンテンツ画像データを無線ＬＡＮを介してプロジェクタＡに伝送する。その後、ＣＰＵ１１０は、確定第１情報格納部１２４，確定第２情報格納部１２６内の情報を削除する。
なお、プロジェクタＡ側の動作は、第１の実施例の場合と同様であるので説明は省略する。
【００７２】
以上のようにして、ユーザが、リモコン１５０の先端を、まず、投射画像のない方に向けた状態で、リモコン１５０の操作ボタン１５４を押し、その操作ボタン１５４を押したままの状態で、リモコン１５０の向きを変え、リモコン１５０の先端を、今度は、プロジェクタＡによる待ち受け画像の方に向けた状態で、操作ボタン１５４を放す操作を行うと、待ち受け画像を投射表示していたプロジェクタＡに、待ち受け画像に代えて、図５に示したように、ＰＣ１００からのコンテンツ画像を投射表示させるようすることができる。
なお、上記の説明では、プロジェクタＡを対象としたが、他のプロジェクタＢ，Ｃに関しても、同様の動作を実現することが可能である。
【００７３】
Ｂ−１−２．待ち受け画像への切り換え動作：
図１１は第２の実施例におけるコンテンツ画像から待ち受け画像への切り換え動作を説明するための説明図である。
【００７４】
ユーザが、リモコン１５０を手で持ち、図１１（ａ）に示すように、プロジェクタＡによるコンテンツ画像の方に、リモコン１５０の先端を向けると、リモコン１５０に内蔵されたカメラ１５２は、プロジェクタＡによるコンテンツ画像を撮像する。そして、ユーザが、図１１（ａ）に示すように、プロジェクタＡによるコンテンツ画像の方に、リモコン１５０の先端を向けたまま、リモコン１５０の操作ボタン１５４を押すと、その操作に基づき、リモコン１５０からは第１の指示信号が出力され、リモコンインタフェース部１４０を介して、ＣＰＵ１１０に伝えられる。ＣＰＵ１１０が、その第１の指示信号を受け取ると、そのタイミングで、取り込まれた撮像画像データに、２次元コードが含まれているかどうかをチェックする。このとき、撮像画像には、プロジェクタＡに対応するコンテンツ用２次元コードｎａが含まれているため、ＣＰＵ１１０は、取り込まれた撮像画像データ内で、そのコンテンツ用２次元コードｎａを検出する。そして、ＣＰＵ１１０は、そコンテンツ用２次元コードｎａを解析して、そのコードｎａの表す情報を取得し、確定第１情報格納部１２４に格納して、取得情報の確定を行う。このとき確定された取得情報、すなわち、確定第１情報格納部１２４に格納された取得情報を、確定第１情報とする。
【００７５】
その後、ユーザが、リモコン１５０の操作ボタン１５４を押したままで、図１１（ｂ）に示すように、リモコン１５０の向きを変え、投射画像のない方に、リモコン１５０の先端を向けると、リモコン１５０に内蔵されたカメラ１５２は、今度は、その向けた方の背景を撮像し、撮像された撮像画像データはリモコンインタフェース部１４０に取り込まれる。そして、ユーザが、図１１（ｂ）に示すように、投射画像のない方に、リモコン１５０の先端を向けたまま、リモコン１５０の操作ボタン１５４を放すと、その操作に基づき、リモコン１５０からは第２の指示信号が出力され、リモコンインタフェース部１４０を介して、ＣＰＵ１１０に伝えられる。ＣＰＵ１１０が、その第２の指示信号を受け取ると、そのタイミングで、取り込まれた撮像画像データに、２次元コードが含まれているかどうかをチェックする。このとき、撮像画像には何ら２次元コードが含まれていないため、ＣＰＵ１１０は、取り込まれた撮像画像データ内で、２次元コードも何も検出しない。従って、ＣＰＵ１１０は、確定第２情報格納部１２６に何ら情報を格納することなく、取得情報の確定を行う。よって、このとき、確定第２情報格納部１２６内の不定の情報が、確定第２情報となる。
【００７６】
そして、ＣＰＵ１１０は、確定第１情報格納部１２４に格納した確定第１情報と、確定第２情報格納部１２６に格納した確定第２情報と、をそれぞれ読み出し、両者を比較する。これらの情報は異なる情報であるので、ＣＰＵ１１０は、比較結果として、確定第１情報と確定第２情報とは互いに異なると判定する。このような判定が出た場合、ＣＰＵ１１０は、確定第１情報が不定の情報でなく（取得情報が存在する）、確定第２情報が不定の情報であることから、最初にリモコン１５０が向けられた方向に投射画像があり、次にリモコン１５０が向けられた方向に投射画像がないことを認識する。そして、ＣＰＵ１１０は、さらに、確定第１情報から識別情報を抽出して、その識別情報から、プロジェクタＡがコンテンツ画像表示状態にあることを認識すると、ネットワークインタフェース部１３０を制御して、そのプロジェクタＡとの間でのネットワーク接続を切断する。その後、ＣＰＵ１１０は、確定第１情報格納部１２４，確定第２情報格納部１２６内の情報を削除する。
なお、プロジェクタＡ側の動作は、第１の実施例の場合と同様であるので説明は省略する。
【００７７】
以上のようにして、ユーザが、リモコン１５０の先端を、まず、プロジェクタＡによるコンテンツ画像の方に向けた状態で、リモコン１５０の操作ボタン１５４を押し、その操作ボタン１５４を押したままの状態で、リモコン１５０の向きを変え、リモコン１５０の先端を、今度は、投射画像も何もないに方に向けた状態で、操作ボタン１５４を放す操作を行うと、コンテンツ画像を投射表示していたプロジェクタＡに、そのコンテンツ画像に代えて、図７に示したように、待ち受け画像を投射表示させるようすることができる。
なお、上記の説明では、プロジェクタＡを対象としたが、他のプロジェクタＢ，Ｃに関しても、同様の動作を実現することが可能である。
【００７８】
Ｂ−２．実施例の効果：
以上説明したとおり、本実施例においても、ユーザは、リモコン１５０の先端を、投射画像のない方やある方に向け、リモコン１５０の操作ボタン１５４を押して放すだけの、より少ない簡単な操作にて、画像の切り換えや、画像の移し換えなど、プロジェクタによる投射画像の表示の仕方を変えることができる。
【００７９】
Ｃ．第３の実施例：
上記した第１の実施例では、ユーザが、リモコン１５０の先端を或るプロジェクタによるコンテンツ画像に向けて、リモコン１５０の操作ボタン１５４を押し、その後、リモコン１５０の先端を他のプロジェクタによる待ち受け画像に向けて、操作ボタン１５４を放す操作を行うことにより、あたかも、投射画像であるコンテンツ画像が、或るスクリーンから他のスクリーンに移動したように見せるようにしていた。しかし、同じような操作によって、投射画像であるコンテンツ画像を、或るスクリーンから他のスクリーンに複写したように見せるようにすることもできる。
【００８０】
そのような実施例を第３の実施例として説明する。なお、本実施例の構成は、第１の実施例の場合とほぼ同様であるが、リモコンに、操作ボタン１５４の他に、上記した画像複写用の操作ボタン１５６を新たに設けた点が異なる。
【００８１】
Ｃ−１．実施例の動作：
Ｃ−１−１．コンテンツ画像の移し換え動作：
図１２及び図１３は本発明の第３の実施例におけるプロジェクタ間でコンテンツ画像の複写動作を説明するための説明図である。
【００８２】
ユーザが、リモコン１５０’を用いて行う操作は、リモコン１５０’の操作ボタンとして、操作ボタン１５４の代わりに、画像複写用操作ボタン１５６を用いる以外は、第１の実施例におけるコンテンツ画像の移し換え動作の場合と同様である。すなわち、ユーザが、リモコン１５０’の先端を、まず、プロジェクタＡによるコンテンツ画像に向けた状態で、リモコン１５０’の画像複写用操作ボタン１５６を押し、その操作ボタン１５６を押したままの状態で、リモコン１５０’の向きを変え、リモコン１５０’の先端を、今度は、プロジェクタＢによる待ち受け画像に向けた状態で、画像複写用操作ボタン１５６を放す操作を行うのである。
【００８３】
また、このときのＰＣ１００の動作も、確定第１情報及び確定第２情報が確定するまでの動作は、第１の実施例におけるコンテンツ画像の移し換え動作の場合とほぼ同様であるため、その後の動作について、以下説明する。
【００８４】
ＰＣ１００において、ＣＰＵ１１０は、確定第１情報格納部１２４に格納した確定第１情報（すなわち、プロジェクタＡに対応するコンテンツ用２次元コードｎａの表す情報）と、確定第２情報格納部１２６に格納した確定第２情報（すなわち、プロジェクタＢに対応する待ち受け用２次元コードｍｂの表す情報）と、をそれぞれ読み出し、両者を比較する。これらの情報は異なる情報であるので、ＣＰＵ１１０は、比較結果として、確定第１情報と確定第２情報とは互いに異なると判定する。このような判定が出た場合、ＣＰＵ１１０は、まず、確定第１情報から識別情報を抽出して、その識別情報から、プロジェクタＡがコンテンツ画像表示状態にあることを認識すると、プロジェクタＡに対して新たな動作を行うことなく、現状のコンテンツ画像表示状態を維持させる。次に、ＣＰＵ１１０は、確定第２情報から識別情報を抽出して、その識別情報から、プロジェクタＢが待ち受け画像表示状態にあることを認識すると、そのプロジェクタＢとの間でネットワーク接続の確立を行うべく、確定第２情報から、さらに、ネットワーク接続の確立に必要な接続情報を抽出する。そして、ＣＰＵ１１０は、ネットワークインタフェース部１３０を制御して、抽出した接続情報に基づき、無線ＬＡＮを介して、プロジェクタＢとの間でネットワーク接続の確立を実行する。その後、プロジェクタＢとの間でネットワーク接続が確立したら、コンテンツ格納部１２８に格納されているコンテンツデータに基づき、コンテンツ画像データを無線ＬＡＮを介して、プロジェクタＡの他に、さらにプロジェクタＢについても伝送する。
【００８５】
これにより、プロジェクタＢにおいては、ＣＰＵ２１０が、ネットワークインタフェース部２３０を介して、ＰＣ１００との間でネットワーク接続が確立されたことを検出すると、ＰＣ１００から伝送されたコンテンツ画像データを、ネットワークインタフェース部２３０を介して受信する。受信したコンテンツ画像データは、画像処理回路２４２，画像重畳回路２４４を介して、画像切換回路２４６に出力される。そして、ＣＰＵ２１０は、ＰＣ１００との間でネットワーク接続が確立されたことを受けて、画像切換回路２４６を制御して、待ち受け画像格納部２２４から読み出された待ち受け画像データに代えて、画像重畳回路２４４から出力されるコンテンツ画像データを、液晶パネル駆動回路２４８に出力させる。液晶パネル駆動回路２４８は、入力されたコンテンツ画像データに基づいて、液晶パネル２６０にコンテンツ画像を表示する。
【００８６】
以上の結果、図１３に示すように、プロジェクタＡは、スクリーンＳＡに、ＰＣ１００からのコンテンツ画像を投射表示し続け、プロジェクタＢは、スクリーンＳＢに、待ち受け画像に代えて、ＰＣ１００から伝送された同じコンテンツ画像を新たに投射表示する。
【００８７】
以上のようにして、ユーザが、リモコン１５０’の先端を、まず、プロジェクタＡによるコンテンツ画像に向けた状態で、リモコン１５０’の画像複写用操作ボタン１５６を押し、その操作ボタン１５６を押したままの状態で、リモコン１５０’の向きを変え、リモコン１５０’の先端を、今度は、プロジェクタＢによる待ち受け画像に向けた状態で、画像複写用操作ボタン１５６を放す操作を行うと、プロジェクタＡによってスクリーンＳＡにＰＣ１００からのコンテンツ画像が投射表示され続けると共に、プロジェクタＢによってスクリーンＳＢに新たに同じコンテンツ画像が投射表示されることになり、あたかも、投射画像であるコンテンツ画像を、スクリーンＳＡからスクリーンＳＢに複写したように見せることができる。
【００８８】
なお、上記の説明では、プロジェクタＡからプロジェクタＢへの複写について説明したが、逆向きのプロジェクタＢからプロジェクタＡへの複写についても、同じようにして実現することができる。また、プロジェクタＡ，Ｂ間だけでなく、プロジェクタＡ，Ｃ間や、プロジェクタＢ，Ｃ間においても、同様の動作を実現することが可能である。
【００８９】
Ｃ−２．実施例の効果：
以上説明したとおり、本実施例によれば、ユーザは、リモコン１５０’の先端を投射画像の方に向け、リモコン１５０’の画像複写用操作ボタン１５６を押して放すだけの、より少ない簡単な操作にて、画像の複写など、プロジェクタによる投射画像の表示の仕方を変えることができる。
【００９０】
Ｄ．第４の実施例：
上記した第１の実施例では、プロジェクタによってコンテンツ画像を投射表示する際、表示されるそのコンテンツ画像には、図３（ａ１）〜（ｃ１）に示したように、コンテンツ用２次元コードが重畳表示されていた。このため、ユーザが本来表示したいコンテンツ画像が、表示したコンテンツ用２次元コードによって、隠れてしまうおそれがあった。
【００９１】
そこで、本実施例では、人間の目視で認識できない投射光にてコンテンツ用２次元コード画像を投射表示することによって、コンテンツ画像の表示を損なうことなく、２次元コードを投射表示させるようにしている。
【００９２】
Ｄ−１．実施例の構成：
図１４は本発明の第４の実施例としてのプロジェクタの概略構成を示すブロック図である。図１４では、図を見やすくするために、図２で示したバス線は省略してある。
【００９３】
図１４に示すように、本実施例のプロジェクタ２００’が、図２に示したプロジェクタ２００と異なる点は、コンテンツ画像とコンテンツ用２次元コードとを光学的に重畳させると共に、コンテンツ画像を投射するための投写光として可視光を用い、コンテンツ用２次元コードを投射するための投写光としては赤外光を用いる点である。そのため、本実施例のプロジェクタ２００’では、画像重畳回路２４４が削除されていると共に、コンテンツ画像用とは別に、コンテンツ用２次元コード用として、液晶パネル駆動回路２４９と、赤外光ランプ２８２を含む赤外光照明光学系２８０と、液晶パネル２９０と、をさらに備え、光学的に重畳するために、赤外線反射板３０２，３０４を備えている。このうち、赤外線反射板３０２は、可視光は透過するが、赤外光は反射する波長選択性を有している。
【００９４】
Ｄ−２．実施例の動作：
本実施例のプロジェクタ２００’において、待ち受け画像を表示する際には、まず、待ち受け画像格納部２２４から、待ち受け画像データが読み出され、画像切換回路２４６を介して、液晶パネル駆動回路２４８に入力される。液晶パネル駆動回路２４８は、入力された待ち受け画像データに基づいて、液晶パネル２６０に待ち受け画像を表示する。照明光学系２５０は、可視光ランプ２５２によって可視光を出射し、液晶パネル２６０は、その可視光によってほぼ均一に照明されており、液晶パネル２６０に表示された待ち受け画像は、可視光の画像光として赤外線反射板３０２を透過した後、投射光学系２７０によってスクリーン（図示せず）上に投射表示される。
【００９５】
なお、このような待ち受け画像表示状態では、コンテンツ用２次元コード用としての、液晶パネル駆動回路２４９や、赤外光照明光学系２８０や、液晶パネル２９０等は休止している。
【００９６】
一方、ＣＰＵ２１０が、ネットワークインタフェース部２３０を介して、ＰＣ（図示せず）との間でネットワーク接続が確立されたことを検出すると、ＰＣから伝送されたコンテンツ画像データを、ネットワークインタフェース部２３０を介して受信する。画像処理回路２４２は、その受信したコンテンツ画像データに所望の画像処理を施して出力する。また、コンテンツ用２次元コード格納部２２２からは、コンテンツ用２次元コードが読み出される。
【００９７】
ＣＰＵ２１０は、ＰＣとの間でネットワーク接続が確立されたことを受けて、画像切換回路２４６を制御して、待ち受け画像格納部２２４から読み出された待ち受け画像データに代えて、画像処理回路２４２から出力されるコンテンツ画像データを、液晶パネル駆動回路２４８に出力させると共に、コンテンツ用２次元コード格納部２２２から読み出されたコンテンツ用２次元コードを、２次元コード画像データとして液晶パネル駆動回路２４９に出力させる。液晶パネル駆動回路２４８は、入力されたコンテンツ画像データに基づいて、液晶パネル２６０にコンテンツ画像を表示し、液晶パネル駆動回路２４９は、入力された２次元コード画像データに基づいて、液晶パネル２９０にコンテンツ用２次元コード画像を表示する。
【００９８】
照明光学系２５０は、前述したとおり、可視光ランプ２５２によって可視光を出射して、液晶パネル２６０をほぼ均一に照明しており、液晶パネル２６０に表示されたコンテンツ画像は、可視光の画像光として赤外線反射板３０２を透過する。また、赤外光照明光学系２８０は、赤外光ランプ２８２によって赤外光を出射して、液晶パネル２９０をほぼ均一に照明しており、液晶パネル２９０に表示されたコンテンツ用２次元コード画像は、赤外光の画像光として赤外線反射板３０４を反射し、さらに、赤外線反射板３０２を反射する。この結果、可視光であるコンテンツ画像の画像光と、赤外光であるコンテンツ用２次元コード画像の画像光とは、光学的に重畳されて、投射光学系２７０によってスクリーン（図示せず）上に投射表示される。
【００９９】
従って、例えば、プロジェクタＡが投射表示している場合であれば、図１５に示すように、スクリーンＳＡには、可視光で投射表示されたコンテンツ画像と、赤外光で投射表示されたコンテンツ用２次元コードｎａと、が映し出されることになる。
【０１００】
図１５はプロジェクタＡによって投射表示されたコンテンツ画像及びコンテンツ用２次元コード画像の一例を示す説明図である。
【０１０１】
すなわち、コンテンツ画像については、可視光であるため、人間の目視によって認識することができるが、コンテンツ用２次元コードｎａについては、赤外光であるため、人間の目視では認識することができない。
【０１０２】
なお、ＰＣ１００側では、前述したとおり、リモコン１５０内蔵のカメラ１５２によって投射画像を撮像するようにしているが、例えば、そのカメラ１５２として、赤外線カメラを用いるようにすれば、赤外光で投射表示されたコンテンツ用２次元コードについても撮像することができる。
【０１０３】
Ｄ−３．実施例の効果：
以上説明したように、本実施例によれば、人間の目視で認識できない赤外光を投射として用いて、コンテンツ用２次元コード画像を投射表示することによって、ユーザが本来表示したいコンテンツ画像の表示を損なうことなく、２次元コードを投射表示させることができる。
【０１０４】
Ｅ．第５の実施例：
上記した第５の実施例では、人間の目視で認識できない赤外光を投射光として、コンテンツ用２次元コード画像を投射表示することによって、コンテンツ画像の表示を損なうことなく、２次元コードを投射表示させるようにしていたが、人間の目視で認識できないタイミングでコンテンツ用２次元コード画像を表示することによっても、コンテンツ画像の表示を損なうことなく、２次元コードを表示させることができる。
【０１０５】
そのような実施例を第５の実施例として説明する。なお、本実施例におけるプロジェクタの構成は、図２に示した第１の実施例の場合とほぼ同様であるので、それらについての説明は省略する。
【０１０６】
Ｅ−１．実施例の動作：
本実施例のプロジェクタ２００において、コンテンツ画像を投射表示する際には、ＰＣ１００から伝送されたコンテンツ画像データを、ネットワークインタフェース部２３０を介して受信し、画像処理回路２４２によって、所望の画像処理を施した後、画像重畳回路２４４に出力する。
【０１０７】
画像重畳回路２４４では、コンテンツ用２次元コード格納部２２２から、コンテンツ用２次元コードを読み出し、コンテンツ用２次元コード画像データとして、入力されたコンテンツ画像データに、図１６に示すようなタイミングで差し入れる。
【０１０８】
図１６は本発明の第５の実施例において、コンテンツ画像データにコンテンツ用２次元コード画像データを差し入れるタイミングを説明するための説明図である。すなわち、コンテンツ画像データが、図１６に示すように、時間的に連続する多数のフレームにて構成されている場合に、６０フレームに１フレームの割合で、コンテンツ用２次元コード画像データを差し入れるのである。なお、図１６は、プロジェクタＡが投射表示している場合を例としており、プロジェクタＡに対応するコンテンツ用２次元コード画像データが、コンテンツ画像データに差し入れられている。
【０１０９】
画像重畳回路２４４は、このようなタイミングで、コンテンツ画像データに、コンテンツ用２次元コード画像データを次々に差し入れ、差し入れ後のコンテンツ画像データを出力する。
【０１１０】
画像切換回路２４６は、画像重畳回路２４４からのコンテンツ画像データを、液晶パネル駆動回路２４８に出力し、液晶パネル駆動回路２４８は、そのコンテンツ画像データに基づいて、液晶パネル２６０にコンテンツ画像を表示する。この結果、プロジェクタは、スクリーンに、ＰＣ１００から伝送されたコンテンツ画像を投射表示する。但し、このコンテンツ画像には、６０フレームに１フレームの割合で、差し込まれたコンテンツ用２次元コード画像が表示されることになるが、通常、画像は１秒間に６０フレームが表示されることになるため、６０フレームに１フレームの割合で差し込まれたコンテンツ用２次元コード画像は、人間の目視によって認識することができない。
【０１１１】
なお、ＰＣ１００側では、前述したとおり、リモコン１５０内蔵のカメラ１５２によって撮像して得られた撮像画像データに対し、２次元コードが含まれているかどうかをＣＰＵ１１０がチェックするが、その際、例えば、プロジェクタとの同期を取り、コンテンツ用２次元コード画像データが差し込まれたタイミングに同期したタイミングで、そのチェックを行うようにすれば、ＰＣ１００側において、コンテンツ用２次元コードを検出することができる。
【０１１２】
Ｅ−２．実施例の効果：
以上説明したように、本実施例によれば、人間の目視で認識できないタイミングでコンテンツ用２次元コード画像を投射表示することによって、ユーザが本来表示したいコンテンツ画像の表示を損なうことなく、２次元コードを投射表示させることができる。
【０１１３】
Ｆ．第６の実施例：
上記した第６の実施例では、人間の目視で認識できないタイミングでコンテンツ用２次元コード画像を投射表示することによって、コンテンツ画像の表示を損なうことなく、２次元コードを投射表示させるようにしていたが、ユーザからの指示があったときのみ、コンテンツ用２次元コード画像をコンテンツ画像に重畳して投射表示するようにしても、実質的に、ユーザが本来表示したい画像の表示を損なうことなく、２次元コードを投射表示させることができる。
【０１１４】
そのような実施例を第６の実施例として説明する。なお、本実施例の構成は、第１の実施例の場合とほぼ同様であるが、図１７に示すように、リモコン１５０''に、ヒンジレバースイッチ１５８を新たに設けた点が異なる。図１７は本発明の第６の実施例において用いられるリモコンを示す説明図である。
【０１１５】
Ｆ−１．実施例の動作：
本実施例では、ユーザが、リモコン１５０''を手で持って、ヒンジレバースイッチ１５８のレバーを握ると、ヒンジレバースイッチ１５８がオンし、リモコン１５０''からは、ケーブルを介して、検知信号が出力される。その検知信号は、ＰＣ１００内のリモコンインタフェース部１４０を介して、ＣＰＵ１１０に伝えられる。ＣＰＵ１１０が、その検知信号を受け取ると、ネットワークインタフェース部１３０を介して、ネットワーク接続の確立がなされているプロジェクタ２００に対し、その検知信号を伝送する。プロジェクタ２００では、ＰＣ１００から伝送された検知信号を、ネットワークインタフェース部２３０を介して受信し、ＣＰＵ２１０に伝える。
【０１１６】
その後、ユーザが、リモコン１５０''を手から放すと、ヒンジレバースイッチ１５８がオフするため、リモコン１５０''から出力していた検知信号は停止する。その結果、ＰＣ１００からプロジェクタ２００に伝送されていた検知信号も停止する。
【０１１７】
プロジェクタ２００では、コンテンツ画像を投射表示する際には、ＰＣ１００から伝送されたコンテンツ画像データを、ネットワークインタフェース部２３０を介して受信し、画像処理回路２４２によって、所望の画像処理を施した後、画像重畳回路２４４に出力する。
【０１１８】
ＣＰＵ２１０は、ＰＣ１００からの検知信号を受け取っているか否かに応じて、画像重畳回路２４４を制御する。この制御により、ＰＣ１００からの検知信号を受け取っている間、画像重畳回路２４４は、コンテンツ用２次元コード格納部２２２から、コンテンツ用２次元コードを読み出して、入力されたコンテンツ画像データに、そのコンテンツ用２次元コードを挿入し、挿入後のコンテンツ画像データを画像切換回路２４６に出力する。ＰＣ１００からの検知信号が停止すると、画像重畳回路２４４は、コンテンツ画像データにコンテンツ用２次元コードを挿入することなく、入力されたコンテンツ用２次元コード画像データをそのまま画像切換回路２４６に出力する。
【０１１９】
この結果、プロジェクタ２００は、ユーザがリモコン１５０''を手で持っている間のみ、コンテンツ用２次元コードが重畳されたコンテンツ画像を投射表示することになり、ユーザがリモコン１５０''を持たなくなると、コンテンツ用２次元コードの重畳を止め、コンテンツ画像のみを投射表示することになる。
【０１２０】
Ｆ−２．実施例の効果：
ユーザがリモコン１５０''を手で持つと言うことは、これからリモコン１５０''を用いて、投射画像を撮像して２次元コードを検出するという指示とみなすことができる。従って、本実施例の如く、そのようなユーザから指示があったときに、コンテンツ用２次元コードを重畳して表示するようにすれば、その間、例え、ユーザが本来表示したいコンテンツ画像が、コンテンツ用２次元コードによって隠れたとしても、ユーザはそのことを了解済みであるので、実質的に、ユーザが本来表示したいコンテンツ画像の表示を損なうことなく、コンテンツ用２次元コードを投射表示させることができる。
【０１２１】
Ｆ−３．実施例における変形例：
上記実施例では、ユーザがリモコンを手で持ったかどうか、言い換えれば、ユーザからの指示があるかどうかを、リモコン１５０''におけるヒンジレバースイッチ１５８のオン／オフによって検知するようにしていたが、それ以外の方法によっても検知することは可能である。
【０１２２】
図１８は本発明の第６の実施例において用いられるリモコンの変形例を示す説明図である。この変形例では、リモコン１５０'''に、加速度センサ１５９が内蔵されている。
【０１２３】
従って、ユーザがこのリモコン１５０'''を手で持つと、そのリモコン１５０'''の加速度が加速度センサ１５９によって検出される。その検出結果は、検出信号として、ケーブルから、ＰＣ１００内のリモコンインタフェース部１４０を介して、ＣＰＵ１１０に伝えられる。ＣＰＵ１１０は、その検出信号を基に、ユーザがリモコン１５０'''を持ったか否かを判定する。
また、このような加速度センサ以外にも、リモコンに、タッチセンサなどを設けるようにしてもよい。
【０１２４】
Ｇ．変形例：
なお、本発明は上記した実施例や実施形態に限られるものではなく、その要旨を逸脱しない範囲において種々の態様にて実施することが可能である。
【０１２５】
上記した実施例においては、ＰＣ１００と各プロジェクタＡ〜Ｃとのネットワーク接続の確立は、プロジェクタがＰＣ１００からコンテンツ画像を投射表示する場合に、行うようにし、待ち受け画像を投射表示している場合には、ネットワーク接続を切断するようにしていたが、本発明はこれに限定されるものではなく、ＰＣ１００と各プロジェクタＡ〜Ｃとのネットワーク接続を常時確立しておき、或るプロジェクタにコンテンツ画像を投射表示させたい場合にのみ、ＰＣ１００からそのプロジェクタに対してコンテンツ画像データを伝送するようにしてもよい。または、ＰＣ１００と各プロジェクタＡ〜Ｃとのネットワーク接続を常時確立しておくと共に、ＰＣ１００から各プロジェクタＡ〜Ｃに対し、コンテンツ画像データをそれぞれ伝送するようにしておき、或るプロジェクタにコンテンツ画像を投射表示させたい場合にのみ、ＰＣ１００からそのプロジェクタに対してコンテンツ画像を表示する旨の指示を出し、そのプロジェクタでは、その指示を受けた場合のみ、コンテンツ画像を表示するようにしてもよい。なお、このように、ＰＣ１００と各プロジェクタＡ〜Ｃとのネットワーク接続を常時確立する場合には、各プロジェクタＡ〜Ｃとの間でそれぞれネットワーク接続を確立するために必要な接続情報を、ＰＣ１００側に用意しておくことが好ましい。また、このように、各プロジェクタに対応した接続情報をＰＣ１００側に用意する場合には、待ち受け用２次元コードｍａ，ｍｂ，ｍｃに、接続情報を含ませる必要はない。
【０１２６】
上記した実施例では、コンテンツ画像へのコンテンツ用２次元コードの重畳は、画像表示装置であるプロジェクタＡ〜Ｃにおいて実行していたが、本発明は、これに限定されるものではなく、画像表示制御装置であるＰＣ１００側において実行するようにしてもよい。すなわち、ＰＣ１００側において、各プロジェクタＡ〜Ｃに対応するコンテンツ用２次元コードｎａ，ｎｂ，ｎｃを用意し、或るプロジェクタにコンテンツ画像を投射表示させたい場合に、そのプロジェクタに対応するコンテンツ用２次元コードを、コンテンツ画像データに挿入した上で、ＰＣ１００からそのプロジェクタに対して、挿入後のコンテンツ画像データを伝送するようにすればよい。また、例えば、第５の実施例の場合は、ＰＣ１００側において、コンテンツ画像データに、コンテンツ用２次元コード画像データを、図１６に示したようなタイミングで差し入れるようにして、差し入れた後のコンテンツデータをプロジェクタに伝送するようにすればよい。また、第６の実施例の場合は、ＰＣ１００側において、ユーザがリモコン１５０''を手で持っている間のみ、コンテンツ画像データに、コンテンツ用２次元コードを挿入し、挿入後のコンテンツ画像データをプロジェクタに伝送するようにすればよい。
【０１２７】
上記した実施例では、プロジェクタは３台であったが、本発明はこれに限定されるものではなく、待ち受け画像とコンテンツ画像との切り換えのみを実行するのであれば、１台でもよく、画像の移し換えや、画像の複写等を実行するのであれば、２台以上であればよい。
【０１２８】
上記した実施例では、画像表示制御装置であるＰＣ１００と、画像表示装置であるプロジェクタ２００と、は無線ＬＡＮで接続するようにしていたが、本発明はこれに限定されるものではなく、ブルートゥースや、赤外線通信などを利用するようにしてもよい。また、このような無線通信に限らず、ケーブルなどを用いた有線通信を利用するようにしてもよい。
【０１２９】
上記した実施例では、画像表示制御装置であるＰＣ１００と、画像表示装置であるプロジェクタ２００と、は別体であったが、画像表示装置に、画像表示制御装置を組み込んで、一体化するようにしてもよい。また、リモコン１５０と、画像表示制御装置であるＰＣ１００と、は別体であったが、画像表示制御装置に、リモコンを組み込んで、一体化するようにしてもよい。さらに、リモコン、画像表示制御装置、及び画像表示装置を一体化するようにしてもよい。
【０１３０】
上記した実施例では、投射画像が待ち受け画像か、コンテンツ画像か、を識別するために、２次元コードを利用するようにしていたが、本発明はこれに限定されるものではなく、他のコードであってもよいし、特定の文字，図形，記号，色彩などを利用するようにしてもよい。また、待ち受け画像，コンテンツ画像以外の２種類の画像を対象とするようにしてもよい。
【０１３１】
上記した実施例では、画像の切り換えや、画像の移し換えや、画像の複写など、画像の表示の仕方を変えるようにしていたが、本発明はこれに限定されるものではなく、画質（色，明るさ，コントラスト，シャープネスなど）や、画像の大きさ（画像の拡大／縮小など）や、画像の表示形態（特殊効果など）など、変えるようにしてもよい。
【０１３２】
上記した実施例においては、ユーザがリモコン１５０の操作ボタン１５４を押すと、リモコン１５０から第１の指示信号が出力され、押していた操作ボタン１５４を放すと、第２の指示信号が出力されるようになっていたが、本発明はこれに限定されるものではなく、例えば、ユーザがリモコンの操作ボタンを押すと、リモコンから第１の指示信号が出力され、その操作ボタンを放した後、再度、操作ボタンを押すと、第２の指示信号が出力されるようになっていてもよい。また、このようなボタン操作による指示に限らず、リモコンにマイク等を内蔵して、ユーザが音声にて指示するようにしてもよい。
【０１３３】
上記した実施例では、画像表示装置として、プロジェクタを対象としていたが、本発明はこれに限定されるものではなく、テレビジョンや、ディスプレイ（携帯電話や携帯情報端末などの表示画面も含む）や、オーロラビジョンなどを対象とするようにしてもよい。
【図面の簡単な説明】
【０１３４】
【図１】本発明の第１の実施例としての画像表示制御装置を含む画像表示システムを示すブロック図である。
【図２】図１におけるプロジェクタの構成を示すブロック図である。
【図３】図１の各プロジェクタＡ〜Ｃによって投射表示された画像の一例を示す説明図である。
【図４】第１の実施例における待ち受け画像からコンテンツ画像への切り換え動作を説明するための説明図である。
【図５】第１の実施例における待ち受け画像からコンテンツ画像への切り換え動作を説明するための説明図である。
【図６】第１の実施例におけるコンテンツ画像から待ち受け画像への切り換え動作を説明するための説明図である。
【図７】第１の実施例におけるコンテンツ画像から待ち受け画像への切り換え動作を説明するための説明図である。
【図８】第１の実施例におけるプロジェクタ間でのコンテンツ画像の移し換え動作を説明するための説明図である。
【図９】第１の実施例におけるプロジェクタ間でのコンテンツ画像の移し換え動作を説明するための説明図である。
【図１０】本発明の第２の実施例における待ち受け画像からコンテンツ画像への切り換え動作を説明するための説明図である。
【図１１】第２の実施例におけるコンテンツ画像から待ち受け画像への切り換え動作を説明するための説明図である。
【図１２】本発明の第３の実施例におけるプロジェクタ間でコンテンツ画像の複写動作を説明するための説明図である。
【図１３】第３の実施例におけるプロジェクタ間でコンテンツ画像の複写動作を説明するための説明図である。
【図１４】本発明の第４の実施例としてのプロジェクタの概略構成を示すブロック図である。
【図１５】プロジェクタＡによって投射表示されたコンテンツ画像及びコンテンツ用２次元コード画像の一例を示す説明図である。
【図１６】本発明の第５の実施例において、コンテンツ画像データにコンテンツ用２次元コード画像データを差し入れるタイミングを説明するための説明図である。
【図１７】本発明の第６の実施例において用いられるリモコンを示す説明図である。
【図１８】本発明の第６の実施例において用いられるリモコンの変形例を示す説明図である。
【符号の説明】
【０１３５】
１１０…ＣＰＵ、１２０…メモリ、１２２…取得情報格納部、１２４…確定第１情報格納部、１２６…確定第２情報格納部、１２８…コンテンツ格納部、１３０…ネットワークインタフェース部、１４０…リモコンインタフェース部、１５０…リモコン、１５２…カメラ、１５４…操作ボタン、１５６…画像複写用操作ボタン、１５８…ヒンジレバースイッチ、１５９…加速度センサ、２００…プロジェクタ、２１０…ＣＰＵ、２２０…メモリ、２２４…待ち受け画像格納部、２３０…ネットワークインタフェース部、２４２…画像処理回路、２４４…画像重畳回路、２４６…画像切換回路、２４８…液晶パネル駆動回路、２４９…液晶パネル駆動回路、２５０…照明光学系、２５２…可視光ランプ、２６０…液晶パネル、２７０…投射光学系、２８０…赤外光照明光学系、２８２…赤外光ランプ、２９０…液晶パネル、３０２，３０４…赤外線反射板、Ａ〜Ｃ…プロジェクタ、ＳＡ〜ＳＣ…スクリーン
【図１】
2009284390.tif 000003
【図２】
2009284390.tif 000004
【図３】
2009284390.tif 000005
【図４】
2009284390.tif 000006
【図５】
2009284390.tif 000007
【図６】
2009284390.tif 000008
【図７】
2009284390.tif 000009
【図８】
2009284390.tif 000010
【図９】
2009284390.tif 000011
【図１０】
2009284390.tif 000012
【図１１】
2009284390.tif 000013
【図１２】
2009284390.tif 000014
【図１３】
2009284390.tif 000015
【図１４】
2009284390.tif 000016
【図１５】
2009284390.tif 000017
【図１６】
2009284390.tif 000018
【図１７】
2009284390.tif 000019
【図１８】
2009284390.tif 000020